(57)【要約】  パネルに実装されるランプ組立体であって、光源組立体を保持するランプ部と、前記ランプ部から延伸するレンズ部と、を備えるハウジング組立体と、前記レンズ部の外面から延伸するロックタブと、を含み前記レンズ部は、光源組立体からの光を特定方向化して透過させるレンズを有し、かつ、前記レンズが前記パネルの実装用開口内に受容されるように構成され、前記ロックタブは、前記実装用開口内に受容され、かつ、前記ハウジング組立体を前記パネルと相対的に固定するようにロック表面と係合するように構成される。【選択図】図１
2011503824.tif 000002
【特許請求の範囲】
【請求項１】
パネルに実装されるランプ組立体であって、
光源組立体を保持するランプ部と、前記ランプ部から延伸するレンズ部と、を備えるハウジング組立体と、
前記レンズ部の外面から延伸するロックタブと、を含み
前記レンズ部は、光源組立体からの光を特定方向化して透過させるレンズを有し、かつ、前記レンズが前記パネルの実装用開口内に受容されるように構成され、
前記ロックタブは、前記実装用開口内に受容されるように、かつ、前記ハウジング組立体を前記パネルに対して固定するようにロック表面と係合するように構成されることを特徴とするランプ組立体。
【請求項２】
前記ハウジング組立体は、前記ロックタブが前記ロック表面と係合し、ロック位置となるまでロック方向へ回転移動することを特徴とする請求項１に記載のランプ組立体。
【請求項３】
前記ロックタブは、前記実装用開口内に規定されたタブ開口を通じて挿入され、
前記タブ開口は、前記ロック表面への接触を可能とすることを特徴とする請求項１に記載のランプ組立体。
【請求項４】
前記パネルは、内面と外面とを備え、
前記ハウジング組立体は、前記レンズが前記内面から前記外面方向へ光を特定方向へ向けるように前記パネルへ実装され、
前記ロックタブは、前記内面に対して外方向で前記ロック表面を係合することを特徴とする請求項１に記載のランプ組立体。
【請求項５】
前記パネルは、前記ロック表面を規定し、
前記ロックタブは、前記ハウジング組立体を前記パネルへ直接的に固定するように構成されることを特徴とする請求項１に記載のランプ組立体。
【請求項６】
さらに、前記パネルの前記実装用開口内に受容され、かつ、前記パネルに固定されるように構成されるパネル実装部材を備え、
前記パネル実装部材は、前記ロック表面を規定する実装キャビティを有し、
前記ロックタブが前記ハウジング組立体を前記パネル実装部材に固定するように前記ロック表面と係合するように、前記ロックタブが前記実装キャビティ内に受容されることを特徴とする請求項１に記載のランプ組立体。
【請求項７】
前記ランプ組立体は、複数のロックタブを含み、
前記複数のロックタブのうちの少なくとも１つは、他のロックタブとは異なる形状であり、
前記複数のロックタブは、前記レンズ部を前記パネルの実装用開口内へ挿入するようにキーイングを与えることを特徴とする請求項１に記載のランプ組立体。
【請求項８】
前記ロックタブは、斜面を含み、
前記ハウジング組立体がロック位置まで回転移動すると、前記斜面は前記ロック表面に沿って移動することを特徴とする請求項１に記載のランプ組立体。
【請求項９】
前記ハウジング組立体と前記パネルは、前記パネルに対しての適切位置に前記ハウジング組立体を保持するために互いに係合するキーイング機構を含むことを特徴とする請求項１に記載のランプ組立体。
【請求項１０】
さらに、前記ハウジング組立体の少なくとも一部と前記パネルとの間に保持されたガスケットを含むことを特徴とする請求項１に記載のランプ組立体。
【発明の詳細な説明】
【技術分野】
【０００１】
本発明は、一般にランプ組立体に関し、より詳細にはパネルに実装された薄型ランプ組立体に関する。
【背景技術】
【０００２】
近年の発光ダイオード（ＬＥＤ）のような低電圧光源における技術的進歩により、今では光源に適した低電圧光源を提供できるようになっている。低電圧光源は従来から使用された光源と比べて電力消費を小さなものとし、従来から使用された光源と比べて低コスト・高効率を提供できる。
【０００３】
ＬＥＤの特定の使用態様は、スポット光照射用の小さなピンライトである場合がある。これらのピンスポットライトは光照射を特定方向に向けるための実装されたパネルである場合がある。いくつかのアプリケーションでは、完全なピンスポットライト組立体が制約されたスペースに合うように十分に小さい場合がある。加えて、ランプは修理・交換可能でなければならない。
【発明の概要】
【発明が解決しようとする課題】
【０００４】
従来の設計は、ランプハウジングのパネル外側にランプ組立体を固定するラッチ機構を提供している。例えば、ラッチはパネルから延伸し、パネルへランプハウジングを固定するために、ランプハウジングの外側までランプ組立体を保持する。そのようなラッチは、ランプ組立体に実装使用されるベゼルの全体サイズを大きくし、パネルを非常に大きなものとする。課題としては、かさばる外側のラッチ結合が、組立体を美的外観を損なうものとし、さらに、極めて制限的な位置でのランプ組立体へのパッキングが難しくなることである。例えば、ランプ組立体によって占有されるスペースの最小限化は、自動車のインテリア光源などのアプリケーションにとって課題である。
【課題を解決するための手段】
【０００５】
解決手段は、以下に開示されるパネルに実装されるランプ組立体によって提供される。ランプ組立体は、光源組立体を保持するランプ部と、前記ランプ部から延伸するレンズ部とを含む。レンズ部は、前記光源組立体からの光が特定方向化されて透過するレンズを備え、前記レンズは、パネルの実装用開口内に受容されるように構成される。ロックタブは、前記レンズ部の外面から延伸し、前記ロックタブは、前記パネルの実装用開口内に受容されるように構成され、かつ、前記ロックタブは、前記パネルに対してハウジング組立体を固定するためのロック表面と係合するように構成される。本発明は、ここに以下の図面を参照して詳述される。
【図面の簡単な説明】
【０００６】
【図１】図１は、本実施形態に係るパネルに実装される薄型ランプ組立体の例示的な実施形態の分解斜視図である。
【図２】図２は、図１のランプ組立体の下から見た斜視図である。
【図３】図３は、図１のランプ組立体の断面図である。
【図４】図４は、図１のランプ組立体の別の断面図である。
【図５】図５は、他のランプ組立体の分解斜視図である。
【図６】図６は、さらに他のランプ組立体の実施形態の分解斜視図である。
【図７】図７は、パネルに実装されるランプ組立体へのベゼルを用いたランプ組立体のさらなる実施形態の分解斜視図である。
【図８】図８は、パネルに実装前の図７の実施形態の斜視図である。
【図９】図９は、図７のランプ組立体の断面図である。
【図１０】図１０は、パネルにランプ組立体を実装するための実装ブラケットを用いたランプ組立体のさらなる実施形態の分解斜視図である。
【図１１】図１１は、図１０のランプ組立体の断面図である。
【発明を実施するための形態】
【０００７】
図１は、本実施形態に係る、パネル１０２へ実装される薄型のパネル実装ランプ組立体１００の分解斜視図である。ランプ組立体１００は、パネル１０２に直接実装される。例示的な実施形態においては、パネル１０２は、ランプ組立体１００をパネル１０２に固定するためのランプ組立体全体に延伸するようなラッチなどのいかなる特徴をも含んでいない。そのようにして、ランプ組立体１００はパネル１０２に対して薄型を維持する。
【０００８】
パネル１０２は、ほぼ平面で内面１０４と外面１０６とを備えている。ランプ組立体１００は、内面１０４に沿って提供される。外面１０６は、ランプ組立体１００によって照光される環境にほぼ晒されている。そのようにして、矢印Ａで示される方向に、光は内面から外面方向へ特定方向化される。光は、外面１０６から外方向へ、すなわち、超えて特定方向化される傾向にある。
【０００９】
パネル１０２は、実装用開口１０８を含む。実装用開口１０８は、少なくともランプ組立体１００の一部を受容する大きさとされる。実装用開口１０８は、内面１０４と外面１０６との間に延伸する壁１１０によって規定されている。例示的な実施形態において、実装用開口１０８は、第一開口１１２と１以上の第二開口１１４とを含む。第一開口１１２および第二開口１１４は、さらに以下に詳述されるように、ランプ組立体１００の異なる箇所を受容する。第二開口１１４は、第一開口１１２よりも小さい。本実施形態では、第一開口１１２は、ほぼ円形とすることができるが、他の実施形態では他の形態も可能である。
【００１０】
ランプ組立体１００は、ハウジング組立体１２０とハウジング組立体１２０内に受容される光源組立体１２２とを含む。ハウジング組立体１２０は、光源組立体１２２を保持するランプ部１２４と、ランプ部１２４から延伸するレンズ部１２６とを含む。ランプ部１２４は、光源組立体１２２を受容するキャビティ１２８を規定する。例示的な実施形態において、ランプ部１２４は、光源組立体１２２を発光させるために使用されるワイヤ１３２を受容する１以上のワイヤ溝１３０を含む。本実施形態では、光源組立体１２２は、回路基板１３４と発光ダイオード（ＬＥＤ）のような１以上の光源１３６（図４参照）とを含む。ワイヤ１３２は、ＬＥＤ１３６を発光させるために、回路基板１３４へ終端接続される。光源組立体１２２は、ＬＥＤ１３６がレンズ部１２６と当面するようにキャビティ１２８内に受容される。
【００１１】
ランプ部１２４は、上面１３８と底面１４０とを含む。側壁が、上面１３８と底面１４０との間に延伸し、ランプ部１２４の外縁１４２を規定する。ランプ組立体１００は、底面１４０がほぼパネル１０２に当面し、上面１３８がほぼパネル１０２から離れる方向へ当面している。レンズ部１２６は、ランプ部１２４の底面１４０から延伸する。光源組立体１２２は、ランプ部１２４の上面１３８のほぼ近傍となるように、キャビティ１２８内に受容される。ワイヤ溝１３０は、ワイヤ１３２が上面１３８を通じてワイヤ溝１３２へ特定方向化可能なように、上面１３８に溝が形成されている。例示的な実施形態において、光源組立体１２２がキャビティ１２８内に受容されると、光源組立体１２２と相対化された部材は、ランプ部１２４の上面１３８の下に配置される。そのようにして、ランプ組立体１００がパネル１０２に実装される際に、ランプ部１２４の上面１３８は、ランプ組立体１００の上限面を規定する。パネル１０２から測定されるランプ組立体１００の外形や高さは、ランプ部１２４の上面１３８によって規定される。
【００１２】
レンズ部１２６は、ランプ部１２４からほぼ下方向に離れるように延伸する。レンズ部１２６は、光源組立体１２２によって生じた光を制御および／または焦点を合わせるための寸法化および／または成形されてもよい。図示される実施形態において、レンズ部１２６は、ほぼ環状であるが、他の形状を他の実施形態において用いることも可能である。レンズ部１２６は、レンズ部１２６の端部１４６にレンズ１４４を含んでいる。レンズ１４４は、レンズ部１２６と一体化されて、レンズ部１２６と接続されても、別体とされてレンズ部１２６と接続されてもよい。本実施形態では、レンズ部１２６は、一部材のハウジングの一部として、ランプ部１２４と、一体形成されている。別の実施形態では、レンズ部１２６は、ランプ部１２４と接続されている。
【００１３】
例示的な実施形態において、レンズ部１２６は、レンズ部１２６の外面１５０から外方向へ延伸する１以上のロックタブ１４８を含む。本実施形態においては、ロックタブ１４８は、レンズ部１２６の端部１４６の近傍に配置されている。ロックタブ１４８は、ランプ組立体１００とパネル１０２との固定のために用いられる。例示される実施形態において、ロックタブ１４８は、ランプ組立体１００とパネル１０２とを接続するためにパネル１０２と係合する。
【００１４】
組立の際に、レンズ部１２４と対応ロックタブ１４８は、実装用開口１０８へ挿入される。例えば、ランプ組立体１００は、ロックタブ１４８が第二開口１１４と位置整合するように、実装用開口１０８に対してキーイングする。それゆえ、第二開口１１４は、タブ開口を規定し、以下タブ開口とも言う。レンズ部１２６は、実装用開口１０８を通じて少なくとも部分的に挿入される。レンズ部１２６は、ロックタブ１４８がパネル内のロック表面１５２と位置整合するまで、実装用開口１０８に挿入されてもよい。レンズ部１２６は、ランプ部１２４の底面１４０がパネル１０２の内面１０４に対して、底面に当たるまで、すなわち、ランプ部１２４が、備えられるガスケット１６０に対して底面に当たるまで、実装用開口１０８に挿入されてもよい。
【００１５】
ランプ組立体１００がパネル１０２に固定されるために、ロックタブ１４８は、ロック表面１５２と係合する。例示的な実施形態において、パネル１０２の外面１０６は、ロック表面１５２を規定する。換言すれば、実装用開口１０８を規定する壁１１０がロック表面１５２を規定する。別の実施形態においては、他の部材がロック表面１５２を規定するために、パネル１０２と接続されてもよい。例示的な実施形態において、ランプ組立体１００は、実装用開口１０８にレンズ部１２６を挿入することによって、パネル１０２と初期嵌合し、その後、ランプ組立体１００は、最終的なロック位置までロック方向へ移動する。ロック位置では、ロックタブ１４８がロック表面１５２と係合する。例示的な実施形態において、ランプ組立体１００は、ロック位置まで、ロック方向へ回転移動させられる。しかしながら、別の実施形態では、ランプ組立体１００は、パネル１０２に関してランプ組立体１００をスライドさせる線形方向など、回転とは異なるロック方向へ移動させられてもよい。回転移動または他の移動後、ロックタブ１４８は、ランプ組立体１００をパネル１０２に対する箇所に固定するために、ロック表面１５２と係合する。本実施形態では、一旦ロックタブ１４８がパネル１０２を通過すると、ロックタブ１４８がパネル１０２の外面１０６下に移動して、ランプ組立体１００をパネル１０２へ固定するように、ランプ組立体１００は回転移動する。
【００１６】
例示的な実施形態において、ロックタブ１４８は、ロック位置へランプ組立体１００への締結をする斜面１５４を含む。本実施形態においては、斜面１５４は、ロックタブ１４８が頂点１５６より着地点１５８の近傍で厚くされるように、頂点１５６から着地点１５８まで延伸する。ランプ組立体１００がロック方向へ回転移動するにつれて、まず頂点１５６がロック表面１５２と係合する。ランプ組立体１００は、少なくとも着地点１５８がロック表面１５２と係合するまで、ロック方向へ回転移動する。着地点１５８は、ロック方向とは反対方向へランプ組立体が後退することを防止するために、ロック表面１５２と係合するための平坦面を提供する。
【００１７】
本実施形態において、ガスケット１６０が備えられる。ガスケット１６０は、ハウジング組立体１２０とパネル１０２間に配置される。本実施形態において、ガスケット１６０は、レンズ部１２６を受容する開口１６２を含む。組立の際には、ガスケット１６０は、レンズ部１２６上に挿入され、ランプ部１２４の近く、すなわち近接した状態となる。ランプ組立体１００がパネル１０２と接続されると、ガスケット１６０は、少なくとも部分的に押圧される。ガスケット１６０は、ランプ組立体１００の振動を抑制し、ランプ組立体１００とパネル１０２のより安全な接続を提供する。本実施形態では、ガスケット１６０は、ランプ組立体１００がロック位置からねじれまたは移動や振動してしまう傾向性を減少させる。ガスケット１６０は、ランプ組立体１００またはパネル１０２を製造公差を吸収することも可能である。
【００１８】
図２は、ランプ組立体１００の底面から見た斜視図である。例示的な実施形態において、ランプ組立体は、第一ロックタブ１７０と第二ロックタブ１７２とで表される一対のロックタブ１４８を含む。第一ロックタブ１７０および第二ロックタブ１７２は、第一ロックタブ１７０が細く、第二ロックタブ１７２が太く、異なる形状を有する。第一ロックタブ１７０および第二ロックタブ１７２の異なる形状は、ランプ組立体１００のキーイング機能を規定する。本実施形態では、実装用開口１０８（図１参照）のタブ開口１１４（図１参照）は、対応する第一ロックタブ１７０および第二ロックタブ１７２を収容するために異なる形とされる。タブ開口１１４は、第一ロックタブ１７０および第二ロックタブ１７２を受容する。例示的な実施形態において、第一ロックタブ１７０および第二ロックタブ１７２は、レンズ部１２６の外面１５０から半径外方向に延伸する。第一ロックタブ１７０および第二ロックタブ１７２は、タブ軸１７４に沿って、かつレンズ部１２６の対向側で、互いに位置整合されている。
【００１９】
例示的な実施形態において、ランプ組立体１００は、少なくとも１つのキーイング機構１７６を含む。キーイング機構１７６は、パネル１０２に対して適切な位置（図１参照）にランプ組立体１００をキーイングする。例示的な実施形態において、キーイング機構１７６は、パネル１０２に対してランプ組立体をキーイングするために、パネル１０２の一部と係合するラッチを構成する。本実施形態では、キーイング機構１７６の固定部１７８は、実装用開口１０８の第二開口１１４（図１参照）の一つ内に受容されるように構成される。そのようにして、対応する第二開口１１４は、パネル１０２のキー機能を規定し、以下、キーイング機構１１４とも言う。
【００２０】
図１および２を参照して、キーイング機構１７６がキーイング機構１１４と位置整合する際に、キーイング機構１１４はキーイング機構１７６のキャッチ部１７８を固定する固定部を固定するスロットとなる。キーイング機構１７６は、タブ軸１７４に関して予め決められた角度でずらされている。例示的な実施形態において、キーイング機構１７６は、タブ軸１７４に対して約９０°ずらされている。そのようにして、レンズ部１２６がまず実装用開口１０８に挿入されると、第一ロックタブ１７０および第二ロックタブ１７２は、第二開口１１４と位置整合される。さらに、ランプ組立体１００が最初にパネル１０２と嵌合すると、キーイング機構１７６は、キーイング機構１１４と関してずらされる。パネル１０２へのランプ組立体１００のロックの際、ランプ組立体１００は、ロック位置まで回転移動する。例示的な実施形態において、ランプ組立体１００は、キーイング機構１７６がキーイング機構１１４と位置整合するまで回転移動する。固定部１７８は、キーイング機構１７６、１１４が位置整合される際に、第二開口１１４内に少なくとも部分的に受容される。固定部１７８は、ロック方向の反対方向へランプ組立体１００の反対回転移動することを防止するために、壁１１０の一部と係合する。すなわち、キーイング機構１７６、１１４は、ランプ組立体１００をパネル１０２の相対的位置にロックするように作用する。
【００２１】
図３は、第一ロックタブ１７０および第二ロックタブ１７２に沿って切断されたランプ組立体１００の断面図である。図４は、実装用開口１０８の第二開口１１４に沿って切断されたランプ組立体１００の断面図である。ランプ組立体１００は、パネル１０２に対するロック位置とされて図示されている。図３に図示されるように、レンズ部１２６は実装用開口１０８へ挿入され、第一ロックタブ１７０および第二ロックタブ１７２は、パネル１０２の外面１０６に沿って配置されている。外面１０６は、ロック表面１５２を規定する。第一ロックタブ１７０および第二ロックタブ１７２は、実装用開口１０８からランプ組立体１００が抜け落ちないようにパネル１０２と係合する。本実施形態では、レンズ部１２６の第一ロックタブ１７０および第二ロックタブ１７２には、第一開口１１２の幅１８２よりも幅広い幅１８０を有している。パネル１０２は、ランプ部１２４の底面１４０と、第一ロックタブ１７０および第二ロックタブ１７２との間で固定されている。
【００２２】
図４は、キーイング機構（第二開口）１１４内に受容されるキーイング機構１７６の固定部を図示している。図４は、レンズ部１２４のレンズ１４４と位置整合したＬＥＤ１３６も図示している。光は、ＬＥＤ１３６から、レンズ１４４を透過し、パネル１０２から外側へ特定方向化される。図４は、ワイヤ溝１３０内に配置されたワイヤ１３２も図示している。本実施形態において、ワイヤ１３２は、ランプ部１２４の上面１３８を超えては延伸していない。ワイヤ溝１３０は、ワイヤ１３２がランプ組立体の全体の形を小さくするように据え付けられるようにする。
【００２３】
例示的な実施形態において、ランプ組立体１００をパネル１０２に固定するための第一ロックタブ１７０および第二ロックタブ１７２のために、ランプ組立体１００をパネル１０２に固定するための別のラッチ機構が不要となる。本実施形態において、ラッチや他の機構は、パネル１０２にランプ部１２４を保持するために、ランプ部１２４の上面１３８を超えて延伸していない。そうようにして、ランプ組立体１００とパネル１０２とを含めた全体の高さ及び形は、ハウジング組立体１２０の上面１３８によって規定される。そのようにして、パネル１０２は、他の機構に近接して保持され、間隙があることで、ハウジング組立体１２０をパネル１０２に保持するための機構によって、ハウジング組立体１２０上のスペースを有効に扱える。それゆえに、ハウジング組立体１２０をパネル１０２に保持するためのラッチ・クランプなどの他の機構を用いた組立体と比較して、ランプ組立体１００は薄型となると考えられる。例示的な実施形態において、高さ１８４は、レンズ１４４、ＬＥＤ１３６、回路基板１３４およびワイヤ１３２の終端部を合わせた厚さとほぼ等しい。
【００２４】
図５は、本発明に係る別の実施形態であるランプ組立体２００の分解斜視図である。ランプ組立体２００は、ランプ組立体１００（図１〜４参照）と同様であるが、ランプ組立体２００は、ランプ組立体１００と比較して異なるキーイング機構２０２を備えている。キーイング機構２０２は、ハウジング組立体２０６から延伸する一対のラッチ２０４を含む。ラッチ２０４は、ラッチ２０４の独立した移動を許容するために、互いに離れて配置される複数のアーム２０８を有する。ラッチ２０４は、図示しないパネルの対応キーイング機構内に適合するように設計されている。パネルの対応キーイング機構は、開口であってもよい。この開口は、実装用開口１０８（図１参照）またはこれとは異なり、パネルの実装用開口の一部であってもよいし、実装用開口とは別の開口であってもよい。
【００２５】
ランプ組立体２００は、ガスケット２１０が備えられる。ガスケット２１０は、ガスケット２１０がハウジング組立体２０６に接続される際に、ラッチ２０４を受容するラッチ開口２１２を含む。ガスケット２１０は、ハウジング組立体２０６がロック方向へ移動する際に、ハウジング組立体２０６とともに移動する。
【００２６】
図６は、パネル２５２へ実装されたランプ組立体２５０のさらに別の一実施形態の分解斜視図である。ランプ組立体２５０は、ランプ組立体１００（図１〜４参照）と同様であるが、ランプ組立体２５０は、ランプ組立体１００と比較して、異なるキーイング機構２５４を含む。例示的な実施形態において、キーイング機構２５４は、ハウジング組立体２５８の外縁２５６によってなる。キーイング機構２５４は、ハウジング組立体２５８の壁である。
【００２７】
パネル２５２は、パネル２５２の内面２６２から延伸するリブであるキーイング機構２６０を含み、キーイング機構２６０は、以下キーイングリブ２６０とも言う。キーイングリブ２６０は、パネル２５２に対向する上面２６４を含む。キーイングリブ２６０は、キーイングリブ２６０の外縁に１以上の斜面２６６を含む。
【００２８】
ランプ組立体２５０がパネル２５２にロックされると、ハウジング組立体２５８が、ハウジング組立体２５８の外縁２５６がキーイングリブ２６０の内面２６８に係合する。本実施形態において、ハウジング組立体２５８がロック方向へ回転移動すると、ハウジング組立体２５８が斜面２６６に係合し、ハウジング組立体２５８がロック位置となるまでキーイングリブ２６０に沿って移動する。ロック位置において、ハウジング組立体２５８の外縁２５６は、内面２６８と位置整合され、内面２６８に沿って下降する。キーイング機構２５４、２６０が互いに係合すると、キーイング機構２５４、２６０は、パネル２５２に対してロック位置にハウジング組立体２５８を保持する。一例として、キーイング機構２５４、２６０は、ロック方向と反対方向へのハウジング組立体２５８のねじれまたは移動を防止する。
【００２９】
図７は、パネル実装部材３０４を用いてパネル３０２に実装されたランプ組立体３００のさらなる別の実施形態の分解斜視図である。パネル３０２は、実装用開口３０６を含む。パネル実装部材３０４は、実装用開口３０８内に受容され、固定される。
【００３０】
ランプ組立体３００は、ハウジング組立体３１０とハウジング組立体３１０内に受容される光源組立体３１２とを含む。ハウジング組立体３１０は、ランプ部３１４とランプ部３１４から延伸するレンズ部３１６とを含む。レンズ部３１６は、レンズ部３１６から延伸する１以上のロックタブ３１８を含む。ロックタブ３１８は、ランプ組立体３００をパネル３０２へ固定するために、パネル実装部材３０４と接続されて構成される。
【００３１】
例示的な実施形態において、パネル実装部材３０４は、ベゼルであり、以下ベゼル３０４とも言う。ベゼル３０４は、ヘッド３２０とヘッド３２０から延伸するステム３２２とを含む。ステム３２２は、ヘッド３２０がパネル３０２に保持されるまでに実装用開口３０８内に受容される。ステム３２２は、摩擦嵌合によって実装用開口３０８に保持される。本実施形態において、ステム３２２は、ステム３２２の少なくとも一部を取り囲む複数のリブ３２４を含む。リブ３２４は、実装用開口３０８内にベゼル３０４を保持するために、実装用開口３０８内に圧縮嵌合される。ベゼル３０４は、別の実施形態では別の手段や機構によってパネル３０２へ固定されてもよい。
【００３２】
例示的な実施形態において、パネル３０２に対してベゼル３０４をキーイングするためのキーイング機構３２６を含む。本実施形態において、キーイング機構３２６は、ステム３２２の外側に延伸する突条である。キーイング機構３２６は、パネル３０２の対応するキーイング機構３２８と嵌合する。パネル３０２のキーイング機構３２８は、実装用開口３０８の予め決められた位置から延伸する開口またはスロットである。別の実施形態では、キーイング機構３２６、３２８以外の他のタイプであってもよい。
【００３３】
ガスケット３３０は、ランプ組立体３００とパネル３０２間に備えられる。ガスケット３３０は、レンズ部３１６の周囲に配置され、ハウジング組立体３１０とパネル３０２の表面間に配置される。
【００３４】
図８は、パネル３０２に実装する直前のランプ組立体３００の斜視図である。ベゼル３０４は、ハウジング組立体３１０を受容するための実装用開口３０８内に受容される。ガスケット３３０は、ハウジング組立体３１０へ実装されて図示されている。組立の際に、レンズ部３１６は、ベゼル３０４内へ嵌められ、ロックタブ３１８（図７参照）が強固にランプ組立体３００をパネル３０２に接続するためにベゼル３０４へ固定されている。
【００３５】
ベゼル３０４は、レンズ部３１６を受容する実装キャビティ３４０を含む。本実施形態において、実装キャビティ３４０は、レンズ部３１６と同様の大きさとされている。ベゼル３０４は、ロックタブ３１８を受容するため、ベゼル３０４の上面３４４に開口するタブ開口部３４２を含む。図示される実施形態において、２つのタブ開口部３４２が、ベゼル３０４の対向する側に備えられる。各タブ開口部３４２は、パネル実装部材３０４の側壁に形成された対応するタブスロット３４６へ向けて開口している。タブスロット３４６は、ハウジング組立体３１０がロック方向へ回転移動する際に、ロックタブ３１８を受容する。タブスロット３４６は、少なくとも部分的にはロック表面３４８によって規定される。ハウジング組立体３１０が回転移動すると、ロックタブ３１８は、タブスロット３４６のロック表面３４８に係合する。ハウジング組立体３１０がロック位置まで回転移動する際に、ハウジング組立体３１０がパネル３０２から離れる方向へ移動することを防止するために、ロック表面３４８は、ロックタブ３１８と当接する。そのようにして、ロックタブ３１８とロック表面３４８は、ハウジング組立体３１０とベゼル３０４とを固定するために協働する。
【００３６】
図９は、ランプ組立体３００の断面図である。ベゼル３０４は、ヘッド３２０がパネル３０２内に挿入されるようにパネル３０２へ接続される。リブ３２４は、実装用開口３０８内でステム３２２を保持する。ハウジング組立体３１０は、ランプ組立体３００をパネル３０２へ固定するために、ベゼル３０４に接続される。図９には、タブスロット３４６内のロックタブ３１８が図示される。ロックタブ３１８は、ハウジング組立体３１０がパネル３０２から離れる方向へ移動することを防止するために、ロック表面３４８と係合する。
【００３７】
図１０は、パネル実装部材４０４を用いてパネル４０２へ実装されたランプ組立体４００のさらに別の実施形態の分解斜視図である。パネル４０２は、実装用開口４０８を備える。パネル実装部材４０４は、パネル４０２の内面４０６に沿って延伸する。パネル実装部材４０４は、実装用開口４０８内に少なくとも部分的に受容されている。
【００３８】
ランプ組立体４００は、ハウジング組立体４１０とハウジング組立体４１０内に受容される光源組立体４１２とを含む。ハウジング組立体４１０は、ランプ部４１４とランプ部４１４から延伸するレンズ部４１６とを含む。レンズ部４１６は、レンズ部４１６から延伸する１以上のロックタブ４１８を含む。ロックタブ４１８は、ランプ組立体４００をパネル４０２に固定するために、パネル実装部材４０４と接続されるように構成される。
【００３９】
図示される実施形態において、パネル実装部材４０４は、実装ブラケットであり、以下実装ブラケット４０４とも言う。実装ブラケット４０４は、プレート４２０とプレート４２０から延伸するステム４２２とを含む。ステム４２２は、プレート４２０がパネル４０２の内面４０６に挿入されるとき、実装用開口４０８内へ受容される。ステム４２２の外面は、実装用開口４０８を規定する壁に挿入される。プレート４２０は、パネル４０２の内面４０６から延伸する実装ポスト４２６を受容する一対の実装ホール４２４を含む。プレート４２０は、実装ポスト４２６へ固定される図示されない締結具によってパネル４０２へ固定される。別の形態では、実装ポスト４２６は、プレート４２０が実装ポスト４２６に実装された後、実装ポスト４２６がプレート４２０をパネル４０２へ固定するために変形可能となる。実装ブラケット４０４は、他の実施形態においては他の手段または機構によってパネル４０２へ固定されてもよい。
【００４０】
ガスケット４３０は、ランプ組立体４００と実装ブラケット４０４との間に備えられる。ガスケット４３０は、レンズ部４１６の周囲に配置され、かつ、ハウジング組立体４１０と実装ブラケット４０４との間に備えられる。任意においては、ガスケット４３０は、レンズ部４１６の周囲と適合するような別々の部材とされている。
【００４１】
組立の際に、レンズ部４１６は、実装ブラケット４０４内と嵌合し、ロックタブ４１８（図１０参照）がランプ組立体４００をパネル４０２へ強固に固定するために実装ブラケット４０４と固定される。
【００４２】
実装ブラケット４０４は、レンズ部４１６を受容するための実装キャビティ４４０を含む。本実施形態において、実装キャビティ４４０は、レンズ部４１６と同様の大きさとされている。実装ブラケット４０４は、ロックタブ４１８を受容するための実装ブラケット４０４の上面４４４に開口するタブ開口部４４２を含む。図示される実施形態において、２つのタブ開口部４４２が、実装ブラケット４０４の対向する側に備えられる。各タブ開口部４４２は、ステム４２２の側壁に形成された対応するタブスロット４４６へ向けて開口している。タブスロット４４６は、ハウジング組立体４１０がロック方向へ回転移動する際に、ロックタブ４１８を受容する。タブスロット４４６は、少なくとも部分的にはロック表面４４８によって規定される。ハウジング組立体４１０が回転移動すると、ロックタブ４１８は、タブスロット４４６のロック表面４４８に係合する。ロック表面４４８は、ハウジング組立体４１０がロック方向へ回転移動する際に、ハウジング組立体４１０をパネル４０２へ強制するために斜面（スロープ形状）とされている。ハウジング組立体４１０がロック位置まで回転移動する際に、ハウジング組立体４１０がパネル４０２から離れる方向へ移動することを防止するために、ロック表面４４８は、ロックタブ４１８を覆う。そのようにして、ロックタブ４１８とロック表面４４８は、ハウジング組立体４１０と実装ブラケット４０４とを固定するために協働する。
【００４３】
図１１は、ロックタブ４１８と実装ポスト４２６に沿って切断されたランプ組立体４００の断面図である。実装ブラケット４０４は、プレート４２０がパネル４０２内に挿入されるようにパネル４０２へ接続される。本実施形態において、ランプ組立体４００がパネル４０２と接続される際に、レンズ部４１６がパネル４０２の外面と実質的に平坦にされるように、ステム４２２は実装用開口４０８内に受容される。実装ブラケット４０４がパネル４０２と接続されると、ステム４２２の端部についても、パネル４０２の外面と実質的に平坦とされる。ハウジング組立体４１０は、ランプ組立体４００をパネル４０２へ固定するための実装ブラケット４０４と接続される。図１１には、タブスロット４４６内のロックタブ４１８が図示される。ロックタブ４１８は、ハウジング組立体４１０がパネル４０２から離れる方向へ移動することを防止するために、ロック表面４４８と係合する。
【００４４】
以上の実施形態は例示的なものであって、限定的でないことが理解されるべきである。例えば、以上の実施形態（および／または実施形態の実施）は互いに組み合わされて用いられてもよい。さらに、本発明の本質的な範囲から逸脱することなく、特定の状況または材料を本発明の教示に適合させるために、多くの変更を加えることができる。本実施形態において、寸法、材料の種類、様々な部材の採用、および様々名部材の数量および場所について規定されている傾向にあるが、決してこれら実施形態だけに限定されるものではない。当業者であれば、本実施形態を参照して、本願請求項の範囲内であれば、多くの他の実施形態や変更をすることが可能である。それゆえに、本発明の範囲は、本願請求項に含まれる全ての実施形態を含むものである。添付の特許請求の範囲では、「含む（ｉｎｃｌｕｄｉｎｇ）」および「そこにおいて（ｉｎ  ｗｈｉｃｈ）」という用語は、それぞれ「含む（ｃｏｍｐｒｉｓｉｎｇ）」および「そこにおいて（ｗｈｅｒｅｉｎ）」という用語の平易な英語として使用されるが、意味は等しい。さらに、以下の特許請求の範囲では、「第１」、「第２」、および「第３」などの用語は単なる標識として使用されるにすぎず、これらの用語の対象に数値的な要件を課すものではない。さらに、以下に示す特許請求の範囲の限定は、ミーンズ・プラス・ファンクション形式で記載されたものではない。当該限定が「手段（ｍｅａｎｓ  ｆｏｒ）」というフレーズを明示的に使用し、かつ、さらなる構造を欠いたまま機能（ファンクション）についての言及が当該フレーズに続かない限り、米国特許法（３５  Ｕ．Ｓ．Ｃ．）第１１２条の第６段落に基づいて解釈されるものではない。
【符号の説明】
【００４５】
１００、２００、３００、４００・・・ランプ組立体
１２０・・・ハウジング組立体１２０組立体
１２２・・・光源組立体
１２４・・・ランプ部
１２６・・・レンズ部
【図１】
2011503824.tif 000003
【図２】
2011503824.tif 000004
【図３】
2011503824.tif 000005
【図４】
2011503824.tif 000006
【図５】
2011503824.tif 000007
【図６】
2011503824.tif 000008
【図７】
2011503824.tif 000009
【図８】
2011503824.tif 000010
【図９】
2011503824.tif 000011
【図１０】
2011503824.tif 000012
【図１１】
2011503824.tif 000013
【国際調査報告】
2011503824.tif 000014
2011503824.tif 000015